(57)【特許請求の範囲】
【請求項１】
底部、胴部及び口部を備え、胴部は、少なくとも口部の折目を案内する複数のガイド条を備える樹脂製ボトルにおいて、
ガイド条は、口部に近接した位置で周方向に延出する第１ガイド条と、この第１ガイド条における対面する任意の一方の位置から他方の位置に向けて延出し、且つ第１ガイド条から口部の基部に近接して延出して口部を挟む対向する２つの第２ガイド条と、対向する第２ガイド条間に掛け渡し且つ口部に近接する位置に延出して口部を挟む２つの第５ガイド条とを備え、第１ガイド条の内周側で第２ガイド条と第５ガイド条とが口部の四周を囲んでおり、第１ガイド条を谷折りとして第１ガイド条の内周側を胴側に折り曲げ可能にしてあり、第２ガイド条を山折りとして容器を横方向に押し潰すと共に第５ガイド条を折目として第２ガイド条間で口部周囲を折り込み可能としてあることを特徴とする樹脂製ボトル。
【請求項２】
底部、胴部及び口部を備え、胴部には、底部と口部との折目を案内する複数のガイド条を備える樹脂製ボトルにおいて、ガイド条は、口部に近接した位置で周方向に延出する第１ガイド条と、この第１ガイド条における対面する任意の一方の位置から他方の位置に向けて延出し、且つ第１ガイド条から口部の基部に近接して延出して口部を挟む対向する２つの第２ガイド条と、対向する第２ガイド条間に掛け渡し且つ口部に近接する位置に延出して口部を挟む２つの第５ガイド条と、底部に近接した位置で周方向に延出する第３ガイド条と、この第３ガイド条における対面する任意の一方及び他方の位置から底部の縁に向けて斜めに延出する一対の第４ガイド条とを備え、第２ガイド条と第５ガイド条とで口部の四周を囲んでおり、第１ガイド条を谷折りとして第１ガイド条の内周側を胴側に折り曲げ可能にしてあり、第２ガイド条を山折りとして容器を横方向に押し潰すと共に第５ガイド条を折目として第２ガイド条間で口部周囲を折り込み可能としてあり、第３ガイド条を谷折りとして、第３ガイド条から底部を胴側に折り曲げ可能にしたことを特徴とする樹脂製ボトル。
【請求項３】
第４ガイド条は、一方及び他方の位置の中間の位置にある底部の縁に向けて延出していることを特徴とする請求項２に記載の樹脂製ボトル。
【請求項４】
第１ガイド条と第２ガイド条との交点及び、第３ガイド条と第４ガイド条の交点とが同一線状にあることを特徴とする請求項２又は３に記載の樹脂製ボトル。
【請求項５】
第１ガイド条は、凹条であることを特徴とする請求項１〜４項の何れか一項に記載の樹脂製ボトル。
【請求項６】
第３ガイド条は、凹条であることを特徴とする請求項２〜４の何れか一項に記載の樹脂製ボトル。
【請求項７】
第２ガイド条は、凸条であることを特徴とする請求項１〜６の何れか一項に記載の樹脂製ボトル。
【請求項８】
第４ガイド条は、凸条であることを特徴とする請求項２、３、４又は６の何れ一項に記載の樹脂製ボトル。
【発明の詳細な説明】
【０００１】
【発明の属する技術分野】
本発明は、飲料液あるいは液体洗剤等を収納する樹脂製ボトルに関し、特に、使用後の空容器を減容させることができる樹脂製ボトルに関する。
【０００２】
【従来の技術】
係る樹脂製ボトルでは、使用後に空になった容器の体積を小さくして廃棄することが望まれている。このため、従来から種々の減容技術が提案されている。例えば、特開平７−１７２４２４号公報には、図１２に示すように、使用後のボトル１００を縦方向（ボトル口部の中心軸に沿う方向）に押し潰してボトルを減容する技術が開示されている。しかしながら、図１２の矢印Ａで示すように、ボトルを縦方向に押し潰した場合には、以下の問題がある。
【０００３】
（１）ボトルのリサイクル工程において、ボトルに貼付されているラベルを剥がす場合、潰したボトルにラベル１０１が挟まれた形となるため、ラベル１０１を剥がし難く、リサイクル工程における作業性が悪化する。
【０００４】
（２）潰したボトルの形態が図１２の（ｂ）で示すように、略円筒形状になるため、束ねにくく、運搬し難い。また、略円筒形状なので、転がり易く取り扱い難い。
【０００５】
（３）ボトルを使用者が潰す際、潰し始めは比較的容易であるが、押し潰していくに従って必要な荷重が増大し、容易に減容できない。
【０００６】
かかる問題に対して、横方向（胴部の対向する壁を互いに近づける方向）に潰す技術が、特開平１０−３２９８２号公報に開示されている。この公報に開示されている従来技術は、図１３及び図１４に示すように、ボトルの胴部において、口部側と底部側とに折目を案内するガイド条を形成し、このガイド条が横方向に押し潰す案内をし、容易に押し潰すことができるようにしている。
【０００７】
即ち、押し潰すときの折れ目を形成するため、口部１０３の近傍を通る一対のガイド条１０５、山形のガイド条１０７、更に縦方向のガイド条１０９が形成されている。一方、胴部１１２の底部１１３側には、上向きに開いた円弧状のガイド状１１１を形成している。この構成により、図１４に示すように、胴部を横方向に押し潰す構成となっている。
【０００８】
【発明が解決しようとする課題】
しかしながら、上述した従来の横方向に押し潰す技術では、図１４から明らかなように、胴部１１２の縦方向における中央付近では、略平らになるように押し潰して減容できるものの、底部１１３及び口部１０３付近では、膨らみが生じてしまい、充分に減容できないという問題がある。
【０００９】
即ち、図１５に示すように、一般に、樹脂製ボトルの底部１１３及び口部１０３では、肉厚Ｓを厚く形成しており、胴部１１２では肉厚Ｔを薄くしている。従って、胴部１１２の中央では容易に押し潰しでき、充分に減容できるものの、胴部１１２における口部側の領域Ｙ（図中一点鎖線から口部側の領域）では、肉厚が厚いため、仮にガイド状が形成されていても折り曲げることが困難になり、この肉厚部を含む周囲に膨らみができてしまうと考えられる。
【００１０】
一方、底部１１３においては、図１４に示すように、円弧状のガイド条１１１の為に、底部１１３からガイド条１１１が形成する円弧状の領域がそのまま膨らみとして残ってしまう。
【００１１】
従って、従来のガイド条の形成では、充分に減容できないため、運搬時に大量に束ね難いという問題があった。
【００１２】
そこで、本発明は、使用後の空ボトルを充分に減容することができる樹脂製ボトルを提供することを目的とする。
【００１３】
【課題を解決するための手段】
前記目的を達成するために、請求項１に記載の発明は、底部、胴部及び口部を備え、胴部は、少なくとも口部の折目を案内する複数のガイド条を備える樹脂製ボトルにおいて、ガイド条は、口部に近接した位置で周方向に延出する第１ガイド条と、この第１ガイド条における対面する任意の一方の位置から他方の位置に向けて延出し、且つ第１ガイド条から口部の基部に近接して延出して口部を挟む対向する２つの第２ガイド条と、対向する第２ガイド条間に掛け渡し且つ口部に近接する位置に延出して口部を挟む２つの第５ガイド条とを備え、第１ガイド条の内周側で第２ガイド条と第５ガイド条とが口部の四周を囲んでおり、第１ガイド条を谷折りとして第１ガイド条の内周側を胴側に折り曲げ可能にしてあり、第２ガイド条を山折りとして容器を横方向に押し潰すと共に第５ガイド条を折目として第２ガイド条間で口部周囲を折り込み可能としてあることを特徴とする。
【００１４】
この請求項１に記載の発明によれば、使用後の空容器は、胴部を横方向（胴部の壁面を互いに近づける方向）に押し潰す。
【００１５】
この場合、口部においては、第１ガイド条を谷折りとし、第２ガイド条を山折りとする。従って、容易に横方向に押し潰すことができる。横方向の押し潰しにより、従来の縦方向の潰しと異なりラベルが潰した部分に挟まったり、容積が嵩張ることを防止でき、且つ横方向の圧縮であるため復元力が小さく設定でき、押し潰すときの負担が小さい。特に、第２ガイド条は、口部の基部に近接して形成されているので、口部近傍における膨らみを防止し、この部分の減容を高めることができる。
【００１６】
また、図５に示すように、口部側では、第１ガイド条を谷折りしているので、この第１ガイド条により口部を胴側（横方向）に容易に折り曲げでき、この折り曲げにより、口部近傍を更に減容できる。
互いに対向して形成された第２ガイド条を掛け渡す位置に、第５ガイド条を形成しており、第５ガイド条は、図３に示す折目４１に対応して形成したものであるから、第５ガイド条を折目として、第２ガイド条間で口部周囲を折り込むことにより、押し潰しによる減容を高めることができる。
【００１７】
【００１８】
【００１９】
【００２０】
請求項２に記載の発明は、底部、胴部及び口部を備え、胴部には、底部と口部との折目を案内する複数のガイド条を備える樹脂製ボトルにおいて、ガイド条は、口部に近接した位置で周方向に延出する第１ガイド条と、この第１ガイド条における対面する任意の一方の位置から他方の位置に向けて延出し、且つ第１ガイド条から口部の基部に近接して延出して口部を挟む対向する２つの第２ガイド条と、対向する第２ガイド条間に掛け渡し且つ口部に近接する位置に延出して口部を挟む２つの第５ガイド条と、底部に近接した位置で周方向に延出する第３ガイド条と、この第３ガイド条における対面する任意の一方及び他方の位置から底部の縁に向けて斜めに延出する一対の第４ガイド条とを備え、第２ガイド条と第５ガイド条とで口部の四周を囲んでおり、第１ガイド条を谷折りとして第１ガイド条の内周側を胴側に折り曲げ可能にしてあり、第２ガイド条を山折りとして容器を横方向に押し潰すと共に第５ガイド条を折目として第２ガイド条間で口部周囲を折り込み可能としてあり、第３ガイド条を谷折りとして、第３ガイド条から底部を胴側に折り曲げ可能にしたことを特徴とする。
【００２１】
この請求項２に記載の発明によれば、使用後の空容器は、胴部を横方向（胴部の壁面を互いに近づける方向）に押し潰す。
【００２２】
この場合、口部においては、第１ガイド条を谷折りとし、第２ガイド条を山折りとする。従って、容易に横方向に押し潰すことができる。横方向の押し潰しにより、従来の縦方向の潰しと異なりラベルが潰した部分に挟まったり、容積が嵩張ることを防止でき、且つ横方向の圧縮であるため復元力が小さく設定でき、押し潰すときの負担が小さい。特に、第２ガイド条は、口部の基部に近接して形成されているので、口部近傍における膨らみを防止し、この部分の減容を高めることができる。
【００２３】
また、図５に示すように、口部側では、第１ガイド条を谷折りしているので、この第１ガイド条により口部を胴側（横方向）に容易に折り曲げでき、この折り曲げにより、口部近傍を更に減容できる。底部側では、第３ガイド条を谷折りしているので、第３ガイド条から底部及び口部を胴側に折り曲げでき、この折り曲げにより、底部近傍を更に減容できる。互いに対向して形成された第２ガイド条を掛け渡す位置に、第５ガイド条を形成しており、第５ガイド条は、図３に示す折目４１に対応して形成したものであるから、第５ガイド条を折目として、第２ガイド条間で口部周囲を折り込むことにより、押し潰しによる減容を高めることができる。
【００２４】
請求項３に記載の発明は、請求項２に記載の発明において、第４ガイド条は、一方及び他方の位置の中間の位置にある底部の縁に向けて延出していることを特徴とする。
【００２５】
この請求項３に記載の発明では、請求項２に記載の作用効果を奏すると共に、押し潰したときにおける底部の面を広くとることができ、底部を横方向に折り曲げ易い。
【００２６】
請求項４に記載の発明は、請求項２又は３に記載の発明において、第１ガイド条と第２ガイド条との交点及び、第３ガイド条と第４ガイド条の交点とが同一線状にあることを特徴とする。
【００２７】
この請求項４に記載の発明では、請求項２又は３に記載の作用効果を奏すると共に、口部側と底部側とを同じ側に向けて押し潰しでき、押し潰しが容易であると共に、口部と底部も横方向の同じ側に向けて折り曲げできるので、取り扱いが容易である。
【００２８】
請求項５に記載の発明は、請求項１〜４の何れか一項に記載の発明において、第１ガイド条は、凹条であることを特徴とする。
【００２９】
この請求項５に記載の発明では、請求項１〜４の何れか一項に記載の作用効果を奏すると共に、谷折りのガイド条を凹条としているので、更に押し潰し易い。
【００３０】
請求項６に記載の発明は、請求項２〜４の何れか一項に記載の発明において、第３ガイド条は、凹条であることを特徴とする。
【００３１】
この請求項６に記載の発明では、請求項２〜４の何れか一項に記載の作用効果を奏すると共に、谷折りのガイド条を凹条としているので、更に押し潰し易い。
【００３２】
請求項７に記載の発明は、請求項１〜６の何れか一項に記載の発明において、第２ガイド条は、凸条であることを特徴とする。
【００３３】
この請求項７に記載の発明では、請求項１〜６の何れか一項に記載の作用効果を奏すると共に、山折りのガイド条を凸条としているので、更に押し潰し易い。
【００３４】
請求項８に記載の発明は、請求項２、３、４又は６の何れ一項に記載の発明において、第４ガイド条は、凸条であることを特徴とする。
【００３５】
この請求項８に記載の発明では、請求項２、３、４又は６の何れ一項に記載の作用効果を奏すると共に、山折りのガイド条を凸条としているので、更に押し潰し易い。
【００３６】
【発明の実施の形態】
以下に、添付図面の図１〜図１１を参照して本発明の実施の形態を詳細に説明する。まず、図１〜図５を参照して本発明の第１実施の形態を説明する。
【００３７】
第１実施の形態に係る樹脂製ボトルは、清涼飲料等が充填されるＰＥＴボトル１である。このＰＥＴボトル１は２Ｌ（リットル）の液体を収納可能な略四角筒形状の大型のものであり、底部３、液体を充填あるいは注出する口部５、胴部７とから構成されており、胴部７には、口部５から下方に広がるテーパ部９が設けられている。
【００３８】
口部５は、略円筒形状であり、その外周面には、樹脂製キャップ（図示せず）を装着する螺旋ねじ１１が形成されている。胴部７の上部（口部側）には、２点鎖線で示す位置に商品名等を表示するためのフィルム製ラベル１３が装着されている。胴部７は、横断面が、例えば１辺が９０〜１００ｍｍ程度の正方形形状である。
【００３９】
テーパ部９は、口部５の基端部１５が円形であり、この基端部１５から正方形の片部１７に至るまで序々に正方形に変化している。
【００４０】
ボトルの肉厚は、図２に示すように、０．１８〜０．３５ｍｍであり、口部の肉厚Ｓは厚く、胴部７の中央における肉厚Ｔは薄く形成されている。テーパ部９では、肉厚が序々に変化しており、図中一点鎖線で示す部分より上側（口部側）の肉厚Ｓは厚く、折目を曲げ難い部分である。
【００４１】
次に、ガイド条について説明する。胴部７には、片部１７の近傍に第１ガイド条２１、テーパ部に第２ガイド条２３、胴部の下側（底部側）に第３ガイド条２５、第３ガイド条２５と底部３との間に第４ガイド条２７が形成されている。
【００４２】
第１ガイド条２１と第２ガイド条２３とは、口部５近傍の折り曲げ用のガイドであり、第３ガイド部２５と第４ガイド部２７とは底部３近傍の折り曲げ用のガイドである。尚、第１〜第４ガイド条は、本実施の形態では、すべて凹条としているがこれに限るものではなく、凸条であってもよい。
【００４３】
第１ガイド条２１は、胴部７において横断面が正方形を成す片部１７の下側に片部１７に沿って環状に形成されており、胴部７の周面を一周して形成されている。従って、この第１ガイド条２１は、全体として正方形形状を形成している。
【００４４】
第２ガイド条２３は、テーパ部９において、正方形を成す片部１７の角１７ａからこれと対角線の位置にある角１７ｂに向けて山形に延出しており、第２ガイド条２３は、口部５の基部１５の近傍を通っている。この第２ガイド条２３は、図１において一点鎖線で示す肉厚の厚い領域の外側を通っており、できるだけ口部近傍で且つ折り易い位置に形成されている。
【００４５】
第３ガイド条２５は、胴部７の底部３に近接した位置に形成されており、胴部７の周囲全体に、底部３に沿って四角の環状に形成されている。
【００４６】
第４ガイド条２７は、第３ガイド条２５において、胴部７の角から底部３の縁３ａに向けて斜めに延出されている。この第４ガイド条２７は、一端が胴部７の角に、他端は、底部３において、正方形の一辺を構成する縁３ａの略中央に位置している。
【００４７】
図１には、樹脂製ボトル１の略半分が見えているが、図１に現われていない他の半分についても略対象になるように第１ガイド条２１、第２ガイド条２３、第３ガイド条２５及び第４ガイド条２７が形成されている。
【００４８】
次に、本実施の形態に係る作用を説明する。使用後の空容器となった樹脂製ボトル１を減容化するときには、図３に示すように、四角筒形状の対角位置にある角を互いに密着させるようにして、胴部７の周壁を横方向に手で押し潰す。従って、従来の縦方向の潰しと異なりラベルが潰した部分に挟まったり、容積が嵩張ることを防止でき、且つ横方向の圧縮であるため復元力が小さく設定でき、押し潰すときの負担が小さい。このとき、口部５側では、第１ガイド条２１を谷折りとし第２ガイド条２３を山折りとしてテーパ部９を第２ガイド条２３に沿って折り畳む。これにより、テーパ部９では、肉厚の厚い領域Ｙを残した部分が潰されて減容化が図られる。
【００４９】
一方、底部３では、第３ガイド条２５を谷折りとし、第４ガイド条２７を山折りとして底部３を胴部７側に重ねるようにして折り曲げる。これにより、底部３は平たくなった状態で、平たく潰された胴部７に重ねられる。
【００５０】
次に、図３及び図４に示すように、口部５を底部３と同方向に向けて折り曲げる。折り曲げは、第１ガイド条２１に沿って行なわれるので、力を要せずに容易にできる。これにより、口部５のテーパ部９は、肉厚領域Ｙを残してほとんどが押し潰されて減容化される。従って、図５から明らかなように、樹脂製ボトル１は、充分に押し潰されて、テーパ部９の肉厚領域Ｙを残して他に膨らみ部分がほとんどないので、従来にも増して充分な減容化を図ることができる。
【００５１】
しかも、消費者が手で強い力を要せずに、簡単に押し潰すことができる。このように押し潰した後には、ほとんど平たく形成されているので、これらを複数たばねることも容易にでき、嵩張らず、搬送が便利である。
【００５２】
以下に、他の実施の形態を詳細に説明する。尚、以下に説明する実施の形態では、上述した第１実施の形態と同一の作用効果を奏する部分には、同一の符号を付することによって、その部分の詳細な説明を省略する。
【００５３】
図６に示す第２実施の形態係る樹脂製ボトル３１は、第２ガイド条２３を、正方形の胴部７において、対向する各４つの角に形成しており、同様に第４ガイド条２７も各角から底部３の縁３ａに延出させている。この第２実施の形態に係る樹脂製ボトル３１では、胴部７の四つの角のうち何れの角からも押し潰し可能であり、押し潰し方向の自由度が良い。
【００５４】
図７に示す第３実施の形態に係る樹脂製ボトル３３は、胴部７が円筒形状のボトルを例に示したものであり、このような円筒形状のボトルにおいても、角型のボトルと同様な効果を得ることができる。尚、第３実施の形態に係る樹脂製ボトルでは、任意の直径における一方端３５と他方端３７から第２ガイド条２３及び第４ガイド２７条を延出させている。
【００５５】
図８に示す第４実施の形態に係る樹脂製ボトル３９は、第２ガイド条２３を、円筒形の胴部７において、互いに略直角を成す位置に形成しており、同様に第４ガイド２７条も互いに略直角を成す位置から底部３の縁３ａに斜めに延出させている。この第４実施の形態に係る樹脂製ボトル３９では、胴部７の四方の位置から押し潰し可能であり、押し潰し方向の自由度が高い。
【００５６】
本発明は、上述した実施の形態に限らず、本発明の要旨を逸脱しない範囲で種々変形可能である。
【００５７】
例えば、第１ガイド条２１、第２ガイド条２３、第３ガイド条２５及び第４ガイド条開口２７は、連続した条に限らず、図９に示すように、破断線状に断続するものであってもよく、折目を形成するものであれば良い。
【００５８】
また、第１〜第４のガイド条２１、２３、２５、２７は、凹条に限らず、凸条であってもよい。更に、図１０に示すように、谷折りする第１及び第３ガイド２１及び２３条は凹条とし、山折りする第２及び第４ガイド条２３及び２７は、凸条にすれば、押し潰しによる減容が容易にできる。
【００５９】
更に、図１１に示すように、テーパ部９において、互いに対向して形成された第２ガイド条２３を掛け渡す位置に、第５ガイド条４３を形成してもよい。この第５ガイド条４３は、図３に示す折目４１に対応して形成したものであり、更に、折目を案内するガイド条を形成しているので、押し潰しが容易にできる。
【００６０】
各ガイド条は、連続しあるいは断続的な凹条や凸条又は、曲線や直線に限らず、周囲に荷重が加わったときに変形の支点となりうるものであれば、特に限定されない。
【００６１】
また、樹脂ボトルの形状は、円柱や四角柱に限定されず、５角柱等の多角柱等であってもよい。
【００６２】
また、樹脂ボトルの材質としも、ＰＥＴ（ポリエチルテレフタレート）に限らず、ポリプロピレン、ポリエチレン等の樹脂ボトルであっても同様な効果を得ることができる。
【００６３】
また、口部５と底部３との両方を潰す必要はなく、何れか一方のみにガイド条を適宜設けることも可能である。
【００６４】
【発明の効果】
請求項１に記載の発明によれば、使用後の空容器は、胴部を横方向（胴部の壁面を互いに近づける方向）に押し潰す。口部においては、第１ガイド条及び第２ガイド条により押し潰しが案内されており、しかも、第２ガイド条は、口部の基部に近接して形成されているので、口部近傍における膨らみを防止し、この部分の減容を高めることができる。
【００６５】
また、口部側では、第１ガイド条を谷折りしているので、この第１ガイド条により口部を胴側（横方向）に容易に折り曲げでき、この折り曲げにより、口部近傍を更に減容できる。互いに対向して形成された第２ガイド条を掛け渡す位置に、第５ガイド条を形成しており、第５ガイド条は、図３に示す折目４１に対応して形成したものであるから、第５ガイド条を折目として第２ガイド条間で口部周囲を折り込むことにより、押し潰しによる減容を高めることができる。
【００６６】
【００６７】
請求項２に記載の発明によれば、使用後の空容器は、胴部を横方向に押し潰し、す。口部においては、第１ガイド条及び第２ガイド条により押し潰しが案内されており、しかも、第２ガイド条が、口部の基部に近接して形成されているので、口部近傍における膨らみを防止し、この部分の減容を高めることができる。
【００６８】
更に、口部側では、第１ガイド条を谷折りしているので、この第１ガイド条から口部を胴側（横方向）に容易に折り曲げでき、この折り曲げにより、口部近傍を更に減容できる。底部側では、第３ガイド条を谷折りしているので、第３ガイド条から底部を胴側に折り曲げでき、この折り曲げにより、底部近傍を更に減容できる。互いに対向して形成された第２ガイド条を掛け渡す位置に、第５ガイド条を形成しており、第５ガイド条は、図３に示す折目４１に対応して形成したものであるから、第５ガイド条を折目として第２ガイド条間で口部周囲を折り込むことにより、押し潰しによる減容を高めることができる。
【００６９】
請求項３に記載の発明によれば、請求項２に記載の効果を奏すると共に、第４ガイド条を底部の縁の中間位置に延出させているので、押し潰したときにおける底部の面を広くとることができ、底部を横方向に折り曲げ易い。
【００７０】
請求項４に記載の発明によれば、請求項２又は３に記載の効果を奏すると共に、口部側と底部側とを同じ側に向けて押し潰しでき、押し潰しが容易であると共に、口部と底部も横方向の同じ側に向けて折り曲げできるので、取り扱いが容易である。
【００７１】
請求項５に記載の発明は、請求項１〜４の何れか一項に記載の効果を奏すると共に、谷折りのガイド条を凹条としているので、更に押し潰し易い。
【００７２】
請求項６に記載の発明は、請求項２乃至４の何れか一項に記載の効果を奏すると共に、谷折りのガイド条を凹条としているので、更に押し潰し易い。
【００７３】
請求項７に記載の発明は、請求項１〜６の何れか一項に記載の効果を奏すると共に、山折りのガイド条を凸条としているので、更に押し潰し易い。
【００７４】
請求項８に記載の発明は、請求項２、３、４又は６の何れ一項に記載の効果を奏すると共に、山折りのガイド条を凸条としているので、更に押し潰し易い。
【図面の簡単な説明】
【図１】  本発明の第１実施の形態に係る樹脂製ボトルの斜視図である。
【図２】  図１に示す樹脂製ボトルの断面図である。
【図３】  図１に示す樹脂製ボトルを押し潰した状態を示す斜視図である。
【図４】  図３に示す状態から口部を胴側に折り曲げた状態を示す斜視図である。
【図５】  図４に示す樹脂製ボトルの側面図である。
【図６】  第２実施の形態に係る樹脂製ボトルの斜視図である。
【図７】  第３実施の形態に係る樹脂製ボトルの斜視図である。
【図８】  第４実施の形態に係る樹脂製ボトルの斜視図である。
【図９】  本発明の変形例に係る樹脂製ボトルの斜視図である。
【図１０】  本発明の他の変形例に係る樹脂製ボトルの断面図である。
【図１１】  本発明の他の変形例に係る樹脂製ボトルの斜視図である。
【図１２】  従来の縦方向における押し潰しを説明する図である。
【図１３】  従来の横方向における押し潰しの場合におけるガイド条を示す斜視図である。
【図１４】    図１３に示す樹脂ボトルを押し潰した状態を示す斜視図である。
【図１５】  樹脂製ボトルの肉厚を説明する断面図である。
【符号の説明】
１、３１、３３、３９、樹脂製ボトル
３    底部
５    口部
７    胴部
９    テーパ部
２１  第１ガイド条
２３  第２ガイド条
２５  第３ガイド条
２７  第４ガイド条
４３  第５ガイド条
【図１】
0004346050.tif 000002
【図２】
0004346050.tif 000003
【図３】
0004346050.tif 000004
【図４】
0004346050.tif 000005
【図５】
0004346050.tif 000006
【図６】
0004346050.tif 000007
【図７】
0004346050.tif 000008
【図８】
0004346050.tif 000009
【図９】
0004346050.tif 000010
【図１０】
0004346050.tif 000011
【図１１】
0004346050.tif 000012
【図１２】
0004346050.tif 000013
【図１３】
0004346050.tif 000014
【図１４】
0004346050.tif 000015
【図１５】
0004346050.tif 000016